(57)【特許請求の範囲】
【請求項１】
清掃気流を発生させる電動送風機を有した掃除機本体と、
電動送風機により発生した前記清掃気流に含まれる塵埃を遠心力を利用して分離するサイクロン集塵装置と、
前記サイクロン集塵装置の遠心力で分離された塵埃を取り込んで貯留する前記本体に着脱自在の集塵箱とを備えたサイクロン式電気掃除機において、
前記サイクロン集塵装置と前記集塵箱とを水平方向に並置して、前記掃除機本体の上部に配置し、
前記集塵箱は前記サイクロン集塵装置との連結部側に塵埃捨て口を備え、前記集塵箱が、該集塵箱の塵埃捨て口側底面をその反対側底面より上方にして前記本体から着脱可能となるように、配置されていることを特徴とする、サイクロン式電気掃除機。
【請求項２】
前記集塵箱を前記本体から外す際に前記集塵箱の前記連結部側を上方にポップアップさせ、前記集塵箱の前記掃除機本体との固定を解放するポップアップ機構を備えたことを特徴とする、請求項１記載のサイクロン式電気掃除機。
【請求項３】
前記ポップアップ機構は、前記集塵箱と前記本体とを互いに固定しまたその固定を解除するロック機構と、前記ロック機構のロック解除動作に連動して前記集塵箱の前記連結部側を上方に持ち上げる弾性機構とを備えたことを特徴とする、請求項２記載のサイクロン式電気掃除機。
【請求項４】
前記集塵箱の前記連結部側との反対側及び前記本体に、前記集塵箱と前記本体とを互いに着脱自在に係合する係合機構を備えたことを特徴とする、請求項１乃至３のいずれかに記載のサイクロン式電気掃除機。
【請求項５】
前記ロック機構のロックが解除されている時は、前記電動送風機の駆動電力が供給停止されることを特徴とする、請求項３記載のサイクロン式電気掃除機。
【請求項６】
前記集塵箱の前記連結部側の面を該集塵箱の底面から上面に向かってオーバーハングする形状にしたことを特徴とする、請求項１乃至５のいずれかに記載のサイクロン式電気掃除機。
【請求項７】
前記集塵箱の前記塵埃捨て口側からその反対側に向かって徐々に高くなるように傾斜させた握り部を有する取っ手を、前記集塵箱の底面に設けたことを特徴とする、請求項６記載のサイクロン式電気掃除機。
【請求項８】
前記集塵箱の塵埃捨て口を塞ぐ蓋を備えたことを特徴とする、請求項６または７記載のサイクロン式電気掃除機。
【請求項９】
前記蓋を回動可能にして前記塵埃捨て口を開閉自在にするとともに、前記蓋を開閉させるレバーを前記集塵箱底面の塵埃捨て口側に設けたことを特徴とする、請求項８記載のサイクロン式電気掃除機。
【請求項１０】
前記サイクロン集塵装置から放出される塵埃を前記集塵箱に取り込む連結口を、その先端が前記サイクロン集塵装置の内壁面とほぼ同じ面位置となるようにして前記蓋に形成したことを特徴とする、請求項８または９記載のサイクロン式電気掃除機。
【請求項１１】
前記サイクロン集塵装置の外周を略円筒形状とし、前記連結口を前記外周の上側半円領域内に位置させたことを特徴とする、請求項１０記載のサイクロン式電気掃除機。
【請求項１２】
前記集塵箱の前記連結部側の面を利用して前記サイクロン集塵装置を押圧する構造としたことを特徴とする、請求項６乃至１１のいずれかに記載のサイクロン式電気掃除機。
【発明の詳細な説明】
【０００１】
【発明の属する技術分野】
この発明は、清掃気流から遠心力によって塵埃等を分離するサイクロン式電気掃除機に関する。
【０００２】
【従来の技術】
図１０に従来のサイクロン式電気掃除機の概略構成図を示す。同図に示すように、従来のサイクロン式電気掃除機１２０は、上ケース１２１と、下ケース１２２から構成される掃除機本体１２３と、掃除機本体１２３の前部下面と両側に設けられた３つの車輪１２４と、掃除機本体１２３内部に配置され、清掃気流を発生させる電動送風機１２５と、清掃気流に含まれる塵埃を遠心力によりろ過し貯留するサイクロン室１２６と、一端がサイクロン室１２６に連通するホース接続口１２７に接続されるホース１２８と、ホース１２８の他端に一端が接続されるパイプ部材１２９と、パイプ部材１２９の他端に接続される被清掃面から塵埃を吸引するための床ブラシ１３０から構成されている。
【０００３】
このような形態のサイクロン式電気掃除機１２０は、掃除機本体１２３とは別部材で構成されるサイクロン室１２６を備え、清掃気流をサイクロン室１２６内で回転させてその遠心力によって塵埃をサイクロン室内に貯留する。
【０００４】
また、サイクロン室１２６を掃除機本体１２３に保持するために、上ケース１２１または下ケース１２２のいずれか一方或いは両者によってサイクロン室１２６を保持する保持部１３１が設けられ、この保持部１３１にサイクロン室１２６が着脱自在に保持されることで、サイクロン室１２６内部に貯留された塵埃が廃棄可能となっている。
【０００５】
そして、上ケース１２１は、サイクロン室１２６の上部に位置し、塵埃がろ過された気流を排出する排出口１３２から電動送風機１２５に連通する風路１３３が設けられている。
【０００６】
このような構成の電気掃除機１２０を運転することで、被清掃面より吸引された塵埃が清掃気流の遠心力と、重力によりサイクロン室１２６内部に貯留されて、清掃が実行される。
【０００７】
なお、上記のサイクロン室に塵埃を貯留するタイプに加えて、特開２０００−１５７４６３号公報には、サイクロン室と集塵室とを上下に分離したタイプのサイクロン集塵装置が開示されている。
【０００８】
【発明が解決しようとする課題】
しかしながら、従来のサイクロン式電気掃除機は、上記のように塵埃をサイクロン室の下側またはサイクロン室の下側に別途設けた集塵室に集めている。そのため、掃除機を通常見る方向である掃除機上方から見た場合には、掃除機への塵埃の貯まり具合がわかりにくいという問題があった。また、結果的に掃除機の下部から塵埃を取り出すことになり、塵埃の取り出し操作などの点で面倒な面もあった。
【０００９】
この発明は、上記課題に鑑みて成されたもので、サイクロン式電気掃除機の塵埃の貯まり具合を掃除機の上方から見てもわかりやすくすること、さらにそのための新たな構成に併せて、その取扱性または操作性にも優れたサイクロン式電気掃除機を提供することを目的とする。
【００１０】
【課題を解決するための手段】
この発明は上記目的に鑑み、以下の構成を採用する。
（１）清掃気流を発生させる電動送風機を有した掃除機本体と、電動送風機により発生した前記清掃気流に含まれる塵埃を遠心力を利用して分離するサイクロン集塵装置と、前記サイクロン集塵装置の遠心力で分離された塵埃を取り込んで貯留する前記本体に着脱自在の集塵箱とを備えたサイクロン式電気掃除機において、前記サイクロン集塵装置と前記集塵箱とを水平方向に並置して、前記掃除機本体の上部に配置し、前記集塵箱は前記サイクロン集塵装置との連結部側に塵埃捨て口を備え、前記集塵箱が、該集塵箱の塵埃捨て口側底面をその反対側底面より上方にして前記本体から着脱可能となるように、配置されていることを特徴とする。
（２）また、前記集塵箱を前記本体から外す際に前記集塵箱の前記連結部側を上方にポップアップさせ、前記集塵箱の前記掃除機本体との固定を解放するポップアップ機構を備えたことを特徴とする。
（３）また、前記ポップアップ機構は、前記集塵箱と前記本体とを互いに固定しまたその固定を解除するロック機構と、前記ロック機構のロック解除動作に連動して前記集塵箱の前記連結部側を上方に持ち上げる弾性機構とを備えたことを特徴とする。
（４）また、前記集塵箱の前記連結部側との反対側及び前記本体に、前記集塵箱と前記本体とを互いに着脱自在に係合する係合機構を備えたことを特徴とする。
（５）また、前記ロック機構のロックが解除されている時は、前記電動送風機の駆動電力が供給停止されることを特徴とする。
【００１１】
（６）また、前記集塵箱の前記連結部側の面を該集塵箱の底面から上面に向かってオーバーハングする形状にしたことを特徴とする。
（７）また、前記集塵箱の前記塵埃捨て口側からその反対側に向かって徐々に高くなるように傾斜させた握り部を有する取っ手を前記集塵箱の底面に設けたことを特徴とする。
（８）また、前記集塵箱の塵埃捨て口を塞ぐ蓋を備えたことを特徴とする。
（９）また、前記蓋を回動可能にして前記塵埃捨て口を開閉自在にするとともに、前記蓋を開閉させるレバーを前記集塵箱底面の塵埃捨て口側に設けたことを特徴とする。
（１０）また、前記サイクロン集塵装置から放出される塵埃を前記集塵箱に取り込む連結口を、その先端が前記サイクロン集塵装置の内壁面とほぼ同じ面位置となるようにして前記蓋に形成したことを特徴とする。
（１１）また、前記サイクロン集塵装置の外周を略円筒形状とし、前記連結口を前記外周の上側半円領域内に位置させたことを特徴とする。
（１２）さらに、前記集塵箱の前記連結部側オーバーハング面を利用して前記サイクロン集塵装置を押圧する構造としたことを特徴とする。
【００１２】
【発明の実施の形態】
以下、図を基に本発明の実施形態を詳細に説明する。なお、各図中において同じ符号は同一物または相当物を表している。
図１はこの発明のサイクロン型電気掃除機の一実施形態を示す外観図、図２は図１の電気掃除機に取り付けられる塵埃吸引具の外観図である。この電気掃除機１は、図１に示すように、前部にホース接続口２１を有し、側部に移動用車輪２２を備えた掃除機本体２と、ホース接続口２１を介して流入する清掃気流に含まれる塵埃を遠心力を利用して分離するサイクロン集塵装置３と、サイクロン集塵装置３によって分離された塵埃を取り込んで貯留する本体２に着脱自在の集塵箱４とを備える。また、掃除機本体２は、その上部に装着されていた集塵箱４を本体２から取り外す際に利用するポップアップレバー６をその外側面に有している。なお、移動用車輪は、通常、側部車輪２２が２個、前側車輪が１個それぞれ設けられている。
【００１３】
電気掃除機１のホース接続口２１には、図２に示すような塵埃吸引具１０が取り付けられる。この塵埃吸引具１０は、ホース接続口２１に接続される蛇腹を有したホース１１、ホース１１の他端に取り付けられるハンドル部１２、ハンドル部１２と接続されるパイプ部材１３，１４、パイプ部材１３，１４の終端が接続され被清掃面から塵埃を吸引するための床ブラシ１５等から構成される。
【００１４】
図３は電気掃除機１の内部構造を示す概略断面図である。掃除機本体２は、その前部にホース接続口２１とサイクロン集塵装置３とを連通させる気流導入路２３を、その後部に外部からホース接続口２１の内側へ向かう清掃気流を発生させるための電動送風機２４をそれぞれ有している。また、掃除機本体２の上部には、その前部にサイクロン集塵装置３が配置され、その後部にはサイクロン集塵装置３に対して水平方向に並置された集塵箱４が配置されている。集塵箱４は、そのサイクロン集塵装置３との連結部側に塵埃捨て口が形成されており、その塵埃捨て口には開閉自在の蓋４１が備えられている。そして蓋４１の一部には、サイクロン集塵装置３の内部と連通する連結口４１１が形成されている。
なお、図３中の符号５は、サイクロン集塵装置３と集塵箱４との連結部を示し、図３中の矢印は、清掃気流の流れる方向を示している。
【００１５】
集塵箱４は電気掃除機本体２の上部に形成された凹部２５にその周囲が嵌合するように配置されている。そして、集塵箱４の後端には、上記凹部２５の後部壁面に形成された溝２６に着脱自在に係合する突起４２が設けられている。また、凹部２５の中央より前側位置には、装着固定されている集塵箱４を常時上方に付勢する弾性機構９が配置されている。この弾性機構９は、バネやゴムなどの弾性体の弾性力を利用して集塵箱４を上方に付勢しているものであって、例えば本体２に取り付けられたバネ９１及びバネ９１の周囲を覆うバネカバー９２からなり、バネカバー９２には、集塵箱４が本体２から飛び出さないようにバネカバー９２の持ち上がる範囲を一定の範囲に規制するストッパ９３が備えられる。
【００１６】
図４には図１の電気掃除機１から集塵箱４を取り外した状態を示した。図４からわかるように、集塵箱４が装着される凹部２５の底面部には弾性機構９が配置され、凹部２５の縁部には、ポップアップレバー６のスライド（矢印Ａの方向）に連動してスライドする（矢印Ｂの方向）集塵箱保持爪２７が設置されている。この集塵箱保持爪２７は集塵箱４に設けられるロック爪と係合して、集塵箱４を本体２に固定する作用を果たす。図５には、この集塵箱保持爪２７と集塵箱４に設けられたロック爪４７との係合作用図を示した。図５に示すように、集塵箱保持爪２７は本体の凹部２５に形成された空間部２８内にスライド可能に配置されている。集塵箱保持爪２７がポップアップレバー６の動作に連動して矢印Ｃ方向にスライドすると、集塵箱４のロック爪４７との係合が解除される。これによって、弾性機構９の弾性エネルギが解放されそのエネルギによって、集塵箱４のサイクロン集塵装置３との連結部側（塵埃捨て口側）が、集塵箱４の後部突起４２付近を支点にして、その装着固定位置からポンと上方に持ち上げられてその固定も解放される。従って、集塵箱４の塵埃捨て口側底面をその反対側底面より上方にして本体２から着脱することが可能となる。
【００１７】
なお、ここでは、集塵箱４の塵埃捨て口側をいわゆるポップアップ機構を利用して持ち上げたが、集塵箱４を、該集塵箱４の塵埃捨て口側底面をその反対側底面より上方にして掃除機本体２から着脱することが可能な構造となっていればよく、必ずしもポップアップ機構を採用する必要はない。
【００１８】
また、集塵箱４が掃除機本体２に固定されていない場合には、掃除機１が動作しないようにすることが望ましい。このためには、集塵箱保持爪２７とロック爪４７との係合状態または弾性機構９の動作状態を常に把握しておき、集塵箱保持爪２７とロック爪４７との係合が解除されている場合または弾性機構９の付勢力がほぼ開放されている（バネが伸長している）場合に、電動送風機２４への駆動電力を供給停止するようにすることが出来る。なお、その際に音声や表示を併用して、集塵箱４が掃除機本体２に固定されていないことを使用者に告知するようにしてもよい。
【００１９】
図６はサイクロン集塵装置３の分解図である。図６に示すように、サイクロン集塵装置３は、略円筒形状で一端３２１が開口し、他端３２２が閉塞したサイクロン室本体３２と、サイクロン室本体３２の閉塞した端面３２２に取付け固定されるカバー３３と、サイクロン室本体３２の開口した端面３２１に脱着自在に取付けられるキャップ３４とから構成されている。
【００２０】
キャップ３４はサイクロン室本体３２内において、遠心力によって塵埃がろ過された清掃気流を外部に導出するための、メッシュネット３４１が設けられた気流導出口３４２を有している。また、キャップ３４のサイクロン室本体３２の端面との接触部分にはパッキン３４３が設けられており、サイクロン室本体３２にキャップ３４を取り付けた際に気密を良好に保つようになっている。さらに、キャップ３４の内部は中空となっており、気流導出口３４２からキャップ３４の内部に流入した気流はキャップ３４の下部に設けられた排気口３４４から、キャップ３４の外側に排出されるようになっている。
【００２１】
図７はサイクロン集塵装置３の内部を気流の流れとともに示した円筒軸方向断面図である。図７に示すように、サイクロン室本体３２の円周部下部には、掃除機本体２の気流導入路２３からサイクロン室本体３２の内部に塵埃を含む清掃気流を導入する気流導入口３４５が設けられている。さらに、サイクロン室本体３２の円周部下部には、気流導入口３４５と隔壁を隔てて、キャップ３４の排気口３４４と連通する排気風路３４６が設けられている。
【００２２】
上記のように構成されたサイクロン集塵装置３は、気流導入口３４５から塵埃を含む清掃気流をサイクロン室本体２２の内部に導入し、サイクロン室本体２２内部で渦流を発生させ、この渦流による遠心力で清掃気流から塵埃を集塵箱４に放出させるとともに、塵埃がろ過された清掃気流は気流導出口３４２からキャップ３４内部を通って、排気口３４４より排気風路３４６へと流れるようになっている。
【００２３】
次に、上記サイクロン集塵装置３に連結される集塵箱４の構造を詳細に説明する。図８は集塵箱４の分解図、図９は集塵箱４をその取っ手４６側を上側にしてみた断面図である。図８に示すように、集塵箱４は、サイクロン集塵装置３との連結部側が塵埃捨て口４５として開口された箱体であって、塵埃捨て口４５近傍の左右側には前述した一対のロック爪４７が、そして塵埃捨て口４５がある側と反対側の後端部には前述した突起４２がそれぞれ形成されている。なお、ここでは、掃除機本体２に装着固定される際に下側となる面を底面４３とし、上側になる面を上面４４と称する。塵埃捨て口４５は、軸４８１と軸支持片４３１とを利用して塵埃捨て口４５の底面４３に回動自在に取り付けられた蓋４１により開閉される。また、ここでは、塵埃捨て口４５が蓋４１で閉じられているとき、蓋４１の周囲パッキン４１３のリップ４１３ａが、塵埃捨て口４５の周縁に形成されたシールリブ４５ａに当接するようになっている。
【００２４】
また、集塵箱４のサイクロン集塵装置３との対向面となる蓋４１、あるいは蓋４１及びフード部４９は、サイクロン集塵装置３の外周形状に沿って、集塵箱４の底面４３から上面４４に向かってオーバーハングする斜面に形成し、さらに必要に応じてこれらの斜面を利用してサイクロン集塵装置３の一部を横または斜め上方から押圧する構造としている。これにより、集塵箱４をサイクロン集塵装置３により妨害されることなく取り外すことが可能となる。また、集塵箱４を固定することで、サイクロン集塵装置３も同時に固定できる効果も得られる。
【００２５】
蓋４１にはサイクロン集塵装置３から放出される塵埃を取り込むための連結口４１１が形成されている。その連結口４１１のサイクロン集塵装置３との係合辺４１２は外側に突出して形成されて、集塵箱４がサイクロン集塵装置３に連結された場合には、係合辺４１２の先端がサイクロン集塵装置３の内壁面とほぼ同じ面位置となるようにしている。これにより、集塵箱４とサイクロン集塵装置３との連結部５での塵埃の漏れを低減出来る。また、連結口４１１は、サイクロン集塵装置３との連結時、サイクロン集塵装置３の略円筒形状外周の上側半円領域内に収まるように配置している。これにより、連結口４１１の係合辺４１２がサイクロン集塵装置３に当たることなく、集塵箱４を掃除機本体２からスムーズに取り出すことが出来る。さらに、集塵箱４の底面４３には、握り部４６１を有した取っ手４６が、ピン４６２とピン支持片４３２により回動自在に取り付けられる。
【００２６】
図９は掃除機本体２から取り外ずされた状態の集塵箱４をその取っ手４６側を上側にしてみた断面図である。取っ手４６の握り部４６１は、集塵箱４の底面４３に対して、塵埃捨て口４５側からその反対側に向かって徐々に高くなるように傾斜させているため、普通に取っ手４６を握ると、集塵箱４の塵埃捨て口４５が斜め上方を向くようになって、塵埃がこぼれ難くなる。加えて、普通に取っ手４６を握った場合には、集塵箱４の下側面（上記の上面４４がここでは下側面となっている）が上側面（上記の底面４３がここでは上側面となっている）の先端部より前に突出した状態となるため、集塵箱４を一般的な塵取り具のように容易に取り扱うことも可能となる。
【００２７】
また、塵埃を捨てるためなどに取っ手４６を握った際には、比較的手の小さい女性でもその握った手の親指が蓋開閉レバー４８に届き易くなって、片手で楽に蓋４１が開閉できるようになっている。
なお、図８および図９中の符号４１４は、蓋４１に形成された連結口４１１を構成する側壁を表している。
【００２８】
以上、上記実施形態では、サイクロン集塵装置３と集塵箱４とを水平方向に並置した構成を基本に、各種の特徴的構成を全て備えた電気掃除機を取り上げて説明したが、サイクロン集塵装置３と集塵箱４とを水平方向に並置した構成を基本にして、他の特徴的構成は必要な部分を適宜に用いてまたはそれらを適宜に組み合わせて用いるようにしてもよい。
【００２９】
【発明の効果】
第１の発明によれば、集塵箱はサイクロン集塵装置との連結部側に塵埃捨て口を備え、集塵箱が、該集塵箱の塵埃捨て口側底面をその反対側底面より上方にして掃除機本体から着脱可能となるように、配置されているので、集塵箱取り出し時に箱内の塵埃がこぼれに難くなる。
第２の発明によれば、集塵箱をその固定位置から上方にポップアップさせるポップアップ機構を備えたので、集塵箱の掃除機本体からの取り外しが簡単になるほか、集塵箱の掃除機本体からの取り外し時に塵埃がこぼれ難くなる。
第３の発明によれば、集塵箱を上方にポップアップさせるポップアップ機構をロック機構と弾性機構とから構成したことで、集塵箱の取り外しが極めて容易となる。例えば、片手でロック解除の操作レバーを操作し、その後その手で集塵箱を持ち上げることもできる。
第４の発明によれば、集塵箱の後端及び本体に設けた係合機構の係合部を支点にして、その集塵箱を掃除機本体に対して容易に着脱することが可能となる。
第５の発明によれば、ロック機構のロックが解除されている時は、電動送風機の駆動電力が供給停止されるようにしたので、集塵箱が本体に確実に装着されていない場合の掃除機の誤動作を防止することが可能となる。
【００３０】
第６の発明によれば、集塵箱の連結部側の面を該集塵箱の底面から上面に向かってオーバーハングする形状としたので、集塵箱の取り外しがスムーズに実施できる。
第７の発明によれば、集塵箱の塵埃捨て口側からその反対側に向かって徐々に高くなるように傾斜させた握り部を有する取っ手を集塵箱の底面に設けたので、その取っ手を持つと集塵箱の上面が下側になり集塵箱の底面が上側となって、その下側がやや上方を向いてその上側より突出した状態となって、塵埃がこぼれ難くなるとともに、塵埃が捨てやすくなる。
第８の発明によれば、集塵箱の塵埃捨て口を塞ぐ蓋を備えたので、集塵箱の掃除機本体からの取り外し時に、集塵箱からの塵埃のこぼれが防止できる。
第９の発明によれば、蓋を回動可能にして塵埃捨て口を開閉自在にするとともに、蓋を開閉させる蓋開閉レバーを集塵箱底面の塵埃捨て口側に設けたので、手の小さい女性でも親指がそのレバーに届き易くなり、楽に蓋を開閉できる。
【００３１】
第１０の発明によれば、サイクロン集塵装置から放出される塵埃を集塵箱に取り込む連結口を、その先端がサイクロン集塵装置の内壁面とほぼ同じ面位置となるようにして蓋に形成したので、サイクロン集塵装置内で回転する塵埃がサイクロン集塵装置と蓋の隙間から漏れに難くなる。
第１１の発明によれば、サイクロン集塵装置の外周を略円筒形状とし、集塵箱のサイクロン集塵装置との連結口をその外周の上側半円領域内に位置させたので、集塵箱の掃除機本体からの取り出しがスムーズに出来る。
第１２の発明によれば、集塵箱のオーバーハング面を利用してサイクロン集塵装置を押圧する構造としたので、集塵箱を固定するだけでサイクロン集塵装置の固定ができ、集塵箱を残してサイクロン集塵装置だけを掃除機本体から取り外してしまうことも防止される。
【図面の簡単な説明】
【図１】  この発明のサイクロン型電気掃除機の一実施形態を示す外観図である。
【図２】  本実施家形態の電気掃除機に取り付けられる塵埃吸引具の外観図である。
【図３】  本実施形態の電気掃除機の内部構造及び清掃気流の流れを示す概略断面図である。
【図４】  本実施家形態の電気掃除機から集塵箱を取り外した状態を示した斜視図である。
【図５】  本実施家形態に係る集塵箱保持爪と集塵箱のロック爪との係合作用説明図である。
【図６】  本実施家形態に係るサイクロン集塵装置の分解図である。
【図７】  本実施家形態に係るサイクロン集塵装置の内部を気流の流れとともに示した円筒軸方向断面図である。
【図８】  本実施家形態に係る集塵箱の分解図である。
【図９】  本実施家形態に係る集塵箱を取っ手側を上側にしてみた断面図である。
【図１０】  従来のサイクロン式電気掃除機の説明図である。
【符号の説明】
１  サイクロン型電気掃除機、２  掃除機本体、３  サイクロン集塵装置、４集塵箱、５  サイクロン集塵装置と集塵箱との連結部、６  ポップアップレバー、９  弾性機構、２４  電動送風機、２６  突起、２７  集塵箱保持爪、４１集塵箱の蓋  ４３  集塵箱の底面、４５  集塵箱の塵埃捨て口、４６  取っ手、４７  ロック爪、４８  蓋開閉用レバー、４１１  サイクロン集塵装置と集塵箱との連結口。
【図１】
0003982313.tif 000002
【図２】
0003982313.tif 000003
【図３】
0003982313.tif 000004
【図４】
0003982313.tif 000005
【図５】
0003982313.tif 000006
【図６】
0003982313.tif 000007
【図７】
0003982313.tif 000008
【図８】
0003982313.tif 000009
【図９】
0003982313.tif 000010
【図１０】
0003982313.tif 000011